(57)【要約】【課題】  ハードディスクユニットの着脱作業性が良く、且つ３次元方向の振動を良好に吸収できるハードディスクユニットの防振装置を提供する。【解決手段】  ハードディスクユニット６が着脱可能に取り付けられる一対の取付部材１２に設けられた各取付突起２１を、４つの低反発弾性部材１３の各側面に設けられた刺込み穴２２にそれぞれ刺し込むことにより、各低反発弾性部材１３を一対の取付部材１２にそれぞれ取り付け、この状態で各低反発弾性部材１３を載置台１１の各挟持部１６で挟み付けて固定した。従って、低反発弾性部材１３によってハードディスクユニット６を載置台１１に対し浮かした状態で弾力的に保持できると共に、上下左右前後の３次元方向の振動を低反発弾性部材１３で吸収できる。また、載置台１１を固定台に対しスライドさせて着脱できるので、ハードディスクユニット６の着脱作業性が良い。【選択図】        図１４
0003130774.tif 000002
【実用新案登録請求の範囲】
【請求項１】
機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられていることを特徴とするハードディスクユニットの防振装置。
【請求項２】
機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられており、
前記ハードディスクユニットは、その左右方向に位置する両側面が前記一対の取付部材に複数の締結部材によって着脱可能に取り付けられていることを特徴とするハードディスクユニットの防振装置。
【請求項３】
機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられており、
前記ハードディスクユニットは、その左右方向に位置する両側面が前記一対の取付部材に複数の締結部材によって着脱可能に取り付けられており、
前記固定台には、前記載置台を前後方向にスライド可能にガイドするガイド部が設けられており、
前記載置台は、その取出し側に位置する前面に位置規制部が設けられ、この位置規制部が前記固定台に当接することにより、前記固定台に対して位置規制されると共に、この位置規制部が前記固定台に１つの締結部材によって締結されることにより、前記固定台に固定されていることを特徴とするハードディスクユニットの防振装置。
【考案の詳細な説明】
【技術分野】
【０００１】
この考案は、情報処理装置などの各種の電子機器に用いられるハードディスクユニットの防振装置に関する。
【背景技術】
【０００２】
従来、パーソナルコンピュータなどの情報処理装置においては、機器本体内に収容されるハードディスクユニットを外部からの振動に対して保護するために、特許文献１に記載されているように、機器本体とハードディスクユニットとを結合する部分に防振用の弾性部材を配置して締結ねじで固定したものが知られている。
【特許文献１】特開２００４−１９７７８７号
【０００３】
すなわち、この種の防振装置は、ハードディスクユニットを搭載する載置板を機器本体内に固定する際に、載置板の両側をほぼＬ字形状に折り曲げ、この折り曲げられた両側の縁部にそれぞれ複数の取付孔を設け、この複数の取付孔にそれぞれ弾性部材を上下に突出させて挿入すると共に、この弾性部材の中心にパイプを挿入し、このパイプに挿入する締結ねじによって載置板を機器本体に取り付けている。
【０００４】
この場合、弾性部材は、ゴムやエラストマーからなり、その中間部が括れたほぼ瓢箪形状に形成され、この中間部の括れた部分が載置板の取付孔に挿入されることにより、弾性部材が載置板の両側縁部の上下に突出し、この状態で弾性部材の中心に挿入されたパイプに締結ねじが挿入されて機器本体に螺着されることにより、載置板の両側の縁部を機器本体に対して弾力的に保持するように構成されている。
【考案の開示】
【考案が解決しようとする課題】
【０００５】
しかしながら、このような従来の防振装置では、ハードディスクユニットを搭載する載置板の両側の縁部に設けられた取付孔に弾性部材の括れ部分を挿入して、弾性部材を載置板の両側縁部の上下に突出させ、この状態で弾性部材の中心に挿入されたパイプに締結ねじを挿入させて機器本体に螺着することにより、載置板を機器本体に対して弾力的に保持した構成であるから、弾性部材によって上下方向の振動を吸収することはできても、弾性部材の中心にパイプおよび締結ねじが挿入されているため、左右前後の水平方向の振動を弾性部材によって十分に吸収することができないという問題がある。
【０００６】
また、このような従来の防振装置では、ハードディスクユニットを搭載する載置板が弾性部材の中心に挿入された締結ねじによって機器本体に直接固定されているので、ハードディスクユニットを機器本体内に収容した状態で、締結ねじを全て取り外さなければ、ハードディスクユニットを機器本体の外部に取り出すことができず、このためハードディスクユニットの着脱作業性が悪く、ハードディスクユニットの交換および修理が面倒であるという問題もある。
【０００７】
この考案が解決しようとする課題は、ハードディスクユニットの着脱作業性が良く、且つ上下左右前後の３次元方向の振動を良好に吸収することができるハードディスクユニットの防振装置を提供することである。
【課題を解決するための手段】
【０００８】
この考案は、上記課題を解決するために、次のような構成要素を備えている。
請求項１に記載の考案は、機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられていることを特徴とするハードディスクユニットの防振装置である。
【０００９】
請求項２に記載の考案は、機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられており、
前記ハードディスクユニットは、その左右方向に位置する両側面が前記一対の取付部材に複数の締結部材によって着脱可能に取り付けられていることを特徴とするハードディスクユニットの防振装置である。
【００１０】
請求項３に記載の考案は、機器本体内にハードディスクユニットを収容するためのハードディスクユニットの防振装置において、
前記機器本体内に固定された固定台と、この固定台にスライド可能に取り付けられた載置台と、前記ハードディスクユニットが着脱可能に取り付けられた一対の取付部材と、この一対の取付部材と前記載置台との間に介在された複数の低反発弾性部材とを備え、
前記一対の取付部材には、前記複数の低反発弾性部材の各側面にそれぞれ刺し込まれる取付突起が設けられており、
前記載置台には、前記一対の取付部材が前記載置台に対して非接触状態で、前記一対の取付部材の前記取付突起にそれぞれ取り付けられた前記複数の低反発弾性部材を前記載置台に挟み付けて固定する挟持部が設けられており、
前記ハードディスクユニットは、その左右方向に位置する両側面が前記一対の取付部材に複数の締結部材によって着脱可能に取り付けられており、
前記固定台には、前記載置台を前後方向にスライド可能にガイドするガイド部が設けられており、
前記載置台は、その取出し側に位置する前面に位置規制部が設けられ、この位置規制部が前記固定台に当接することにより、前記固定台に対して位置規制されると共に、この位置規制部が前記固定台に１つの締結部材によって締結されることにより、前記固定台に固定されていることを特徴とするハードディスクユニットの防振装置である。
【考案の効果】
【００１１】
この考案によれば、ハードディスクユニットが着脱可能に取り付けられる一対の取付部材にそれぞれ設けられた取付突起を、複数の低反発弾性部材の各側面にそれぞれ刺し込むことにより、複数の低反発弾性部材を一対の取付部材にそれぞれ簡単に取り付けることができ、この状態で複数の低反発弾性部材をそれぞれ載置台に設けられた挟持部で挟み付けることにより、一対の取付部材を載置台に対して非接触状態で、複数の低反発弾性部材を載置台に簡単に固定することができる。
【００１２】
これにより、複数の低反発弾性部材によって一対の取付部材を載置台に対し弾力的に保持することができるので、この一対の取付部材に取り付けられたハードディスクユニットを載置台に対して浮かした状態で弾力的に保持することができる。このため、機器本体に上下左右前後の３次元方向の振動が生じても、その振動を複数の低反発弾性部材によって確実に且つ良好に吸収することができると共に、一対の取付部材が載置台に対して非接触状態であることにより、機器本体の振動がハードディスクユニットに伝わることがないので、ハードディスクユニットが３次元方向の振動の影響を受けないようにすることができ、これによりハードディスクユニットを振動から確実に且つ良好に保護することができる。
【００１３】
また、機器本体内からハードディスクユニットを取り出す際には、ハードディスクユニットが搭載された載置台を機器本体内に固定された固定台に対してスライドさせることにより、機器本体内から載置台を取り出すことができる。このため、ハードディスクユニットが搭載された載置台を機器本体の外部に取り出した状態で、ハードディスクユニットを一対の取付部材から容易に取り外すことができるので、ハードディスクユニットの着脱作業性が良く、ハードディスクユニットの交換および修理が容易にでき、これにより使い勝手の良いものを提供することができる。
【考案を実施するための最良の形態】
【００１４】
以下、図１〜図１７を参照して、この考案を情報処理装置に適用した一実施形態について説明する。
図１はこの考案の情報処理装置を示した正面側の外観斜視図、図２はその裏面側の外観斜視図である。
この情報処理装置は、業務用のパーソナルコンピュータであり、図１および図２に示すように、機器本体１と、この機器本体１の前面に回転可能に取り付けられた表示装置２と、機器本体１の手前側に配置されたキーボート３とを備えている。
【００１５】
この場合、機器本体１は、図１および図２に示すように、下部側が幅広で、上部側が幅の狭い縦長のほぼ箱型形状に形成されており、下部側の背面には充電ボックス４が取外し可能に取り付けられている。表示装置２は、液晶表示パネルやＥＬ（エレクトロルミネッセンス）表示パネルなどの平面型の表示パネルを備え、この表示パネルによって各種の情報を電気光学的に表示するように構成されている。キーボード３は、文字キー、テンキー、カーソルキー、ファンクションキーなどの各種のキーを備え、そのキー操作によって情報を入力するように構成されている。
【００１６】
ところで、機器本体１は、図４に示すように、その上部側の内部に回路基板５が設けられており、この回路基板５には、情報を処理するために必要な各種の電子部品６が搭載されている。また、この機器本体１の下部側の内部には、ハードディスクユニット６を搭載する防振装置７が設けられている。この防振装置７は、図２〜図４に示すように、機器本体１の下部側の背面に取り付けられた充電ボックス４に対応して設けられている。この場合、機器本体１の下部側の背面には、図５および図６に示すように、防振装置７に搭載されたハードディスクユニット６を出し入れするための開口部８が設けられており、この開口部８は、図２に示すように、充電ボックス４によって塞がれるように構成されている。
【００１７】
防振装置７は、図７および図８に示すように、ハードディスクユニット６を機器本体１内に収容して固定するためのものであり、図７〜図１２に示すように、機器本体１内に固定された固定台１０と、この固定台１０にスライド可能に取り付けられた載置台１１と、ハードディスクユニット６が着脱可能に取り付けられた一対の取付部材１２と、この一対の取付部材１２と載置台１１との間に介在された複数の低反発弾性部材１３（図１２参照）とを備えている。
【００１８】
この場合、固定台１０は、図４および図７に示すように、機器本体１内に設けられたシャーシ１４に取り付けられている。このシャーシ１４は、図４に示すように、機器本体１内の底部に配置された底板１４ａと、機器本体１の下部における背面に配置された枠板１４ｂとを備え、この枠板１４ｂに開口部１４ｃが設けられ、この開口部１４ｃが機器本体１の背面に設けられた開口部８に対応した状態で、底板１４ａおよび枠板１４ｂが機器本体１内に固定されている。
【００１９】
このシャーシ１４に取り付けられる固定台１０は、図７および図８に示すように、金属板の前後部を下方に向けてほぼ垂直に折り曲げ、この折り曲げられた前後の各脚部１０ａがシャーシ１４の底板１４ａ上に固定されている。この場合、固定台１０の上面は、図７に示すように、枠板１４ｂに設けられた開口部１４ｂの下辺、つまり機器本体１の背面に設けられた開口部８の下辺とほぼ同じ高さに形成されている。また、固定台１０の上面の幅は、枠板１４ｂの開口部１４ｂの横幅、つまり機器本体１の開口部８の横幅よりも少し狭く形成されている。さらに、この固定台１０の上面における左右両側には、図７および図８に示すように、一対のガイド部１５が上方に折り曲げられてほぼ垂直に起立した状態で互いに平行に前後方向に連続して設けられている。
【００２０】
この固定台１０に載置される載置台１１は、図７〜図１２に示すように、ハードディスクユニット６が取り付けられる一対の取付部材１２を搭載するためのものであり、固定台１０上にスライド可能に載置されるように構成されている。この場合、載置台１１は、図１２に示すように、金属板の左右両側および前後両側がそれぞれ上方に折り曲げられて、左右両側の側面部１１ａと前後両側の前面部１１ｂ、１１ｃとが形成され、これにより、図８および図１６に示すように、載置台１１全体が固定台１０の上面とほぼ同じ大きさの薄い箱形状に形成されている。
【００２１】
すなわち、この載置台１１は、図８に示すように、左右両側の側面部１１ａの幅が固定台１０の左右両側に設けられた一対のガイド部１５間の幅とほぼ同じ大きさで、且つ機器本体１の開口部８の横幅よりも少し狭く形成され、これにより図７および図８に示すように、左右両側の側面部１１ａが固定台１０の一対のガイド部１５によって前後方向にスライド可能にガイドされると共に、図５および図６に示すように、機器本体１の開口部８を通り抜けるように構成されている。
【００２２】
この場合、載置台１１の左右両側の側面部１１ａにおける前後部の各上端部には、図１４〜図１６に示すように、４つの低反発弾性部材１３の各上面を押え付けることにより、各低反発弾性部材１３を載置台１１上にそれぞれ挟み付けて固定する挟持部１６が設けられている。また、この載置台１１の前面部１１ｂには、図８〜図１２に示すように、載置台１１をスライドさせるための取手部１７が逆Ｌ字状に折り曲げられている。この場合、取手部１７は、その下端部が載置台１１の底部よりも上方に位置した状態で設けられている。
【００２３】
また、この取手部１７の中間部には、図７〜図１２に示すように、固定台１０の前側の脚部１０ａにおける上部に当接して載置台１１を固定台１０に対し位置規制するための位置規制部１８が載置台１１の底部よりも少し下側に突出して設けられている。この位置規制部１８は、図３および図７に示すように、シャーシ１４の枠部１４ｂにおける開口部１４ｃの下辺に設けられた切欠凹部１４ｄ、および機器本体１の開口部８の下辺に設けられた切欠凹部８ａを挿通するように構成されている。
【００２４】
さらに、この位置規制部１８には、図７〜図１２に示すように、１本の固定ビス１９が挿入するビス挿入孔１８ａが設けられており、この位置規制部１８が当接する固定台１０の前面側に位置する脚部１０ａの当接部分には、固定ビス１９が螺着するねじ孔２０が設けられている。これにより、位置規制部１８は、載置台１１が機器本体１内に収容されたときに、図７および図８に示すように、１本の固定ビス１９が位置規制部１８のビス挿入孔１８ａを通して固定台１０の前面側に位置する脚部１０ａに設けられたねじ孔２０に螺着することにより、載置台１１を固定台１０に固定するように構成されている。
【００２５】
一方、一対の取付部材１２は、ハードディスクユニット６が取り付けられるものであり、図１４および図１５に示すように、載置台１１に低反発弾性部材１３を介して取り付けられるように構成されている。すなわち、この一対の取付部材１２は、図１６および図１７に示すように、ハードディスクユニット６の左右方向の両側部が取り付けられるディスク取付部１２ａと、このディスク取付部１２ａの互いに対向する各内端部から下側に折り曲げられた支持部１２ｂと、この支持部１２ｂの前後部における各下端部から互いに離れる方向に向けてそれぞれ水平に折り曲げられた２組の取付突起２１とを備えている。
【００２６】
この場合、ディスク取付部１２ａは、図１４および図１７に示すように、ハードディスクユニット６の両側面およびその両側下面が当接するほぼＬ字形状にそれぞれ形成されている。支持部１２ｂは、図１４に示すように、低反発弾性部材１３の厚みとほぼ同じか、それよりも少し低い高さに形成されている。また、２組の取付突起２１は、図１４〜図１７に示すように、それぞれ平板状に形成され、４つの低反発弾性部材１３の各側面における中央部にそれぞれ刺し込まれることにより、各低反発弾性部材１３がそれぞれ取り付けられるように構成されている。
【００２７】
これにより、一対の取付部材１２は、図１４および図１５に示すように、各取付突起２１に取り付けられた４つの低反発弾性部材１３が載置台１１の挟持部１６によって載置台１１に挟み付けられた状態のときに、各支持部１２ｂによって各ディスク取付部１２ａが各低反発弾性部材１３の上方に所定の隙間を持って支持されることにより、載置台１１に対して非接触状態で保持されるように構成されている。この場合にも、一対の取付部材１２は、その両者における各外側面間の間隔が載置台１１の横幅よりも少し狭く形成され、その高さも機器本体１の背面における開口部８の上辺よりも少し低く配置されている。
【００２８】
ところで、低反発弾性部材１３は、防振ゴムや防振エラストマーなどの弾性材料からなるが、好ましくは発泡ウレタンフォーム材やスチレン系ゲル材からなり、図１４〜図１７に示すように、載置台１１の挟持部１６によって載置台１１上に挟み付けられるほぼ直方体形状に形成されている。また、この低反発弾性部材１３には、図１７に示すように、その一側面つまり左右に位置して互いに対向する各内側の側面における中央部に、一対の取付部材１２の各取付突起２１が刺し込まれる平板形状の刺込み穴２２がほぼ水平に設けられている。
【００２９】
すなわち、この低反発弾性部材１３は、図１６に示すように、一対の取付部材１２の各取付突起２１がそれぞれ各側面の刺込み穴２２に刺し込まれることにより、一対の取付部材１２にそれぞれ取り付けられ、この状態で図１４および図１５に示すように、載置台１１の各挟持部１６によって載置台１１上に挟み付けられるように構成されている。これにより、低反発弾性部材１３は、載置台１１に固定されると共に、一対の取付部材１２を載置台１１に対して非接触状態で弾力的に保持するように構成されている。
【００３０】
ハードディスクユニット６は、図１１および図１２に示すように、全体が平板状の箱形状に形成され、その内部に駆動装置（図示せず）が組み込まれている。このハードディスクユニット６は、その左右方向の両側面における前後部が一対の取付部材１２にそれぞれ締結ねじ２３によって着脱可能に取り付けられている。この場合、ハードディスクユニット６は、その横幅が一対の取付部材１２間の幅とほぼ同じ大きさに形成され、その上面が機器本体１の背面における開口部８の上辺よりも少し低く配置されるように、一対の取付部材１２に取り付けられ、これにより載置台１１と共に機器本体１の背面の開口部８を通り抜けるように構成されている。
【００３１】
次に、この防振装置７を機器本体１内に組み込む場合について説明する。
まず、図１６および図１７に示すように、一対の取付部材１２の各取付突起２１をそれぞれ４つの低反発弾性部材１３の各刺込み穴２２に刺し込むことにより、各低反発弾性部材１３の上面と一対の取付部材１２のディスク取付部１２ａの下面との間に所定の隙間をもって、各低反発弾性部材１３を一対の取付部材１２の各前後部にそれぞれ取り付ける。
【００３２】
この状態で、図１６に示すように、各低反発弾性部材１３を載置台１１の左右両側における前後部に設けられた各挟持部１６の下にそれぞれ差し込む。すなわち、図１４および図１５に示すように、載置台１１の各挟持部１６を各低反発弾性部材１３の上面と一対の取付部材１２のディスク取付部１２ａの下面との間に差し込み、この差し込んだ各挟持部１６で各低反発弾性部材１３をそれぞれ載置台１１に挟み付ける。
【００３３】
これにより、各低反発弾性部材１３が載置台１１上にそれぞれ固定されると共に、この低反発弾性部材１３によって一対の取付部材１２が載置台１１に対して非接触状態で弾力的に保持される。すなわち、一対の取付部材１２は、図１４に示すように、載置台１１に接触することがなく、一対の取付部材１２の各ディスク取付部１２ａと載置台１１の各挟持部１６との間に所定の隙間を有して載置台１１に弾力的に保持される。
【００３４】
この後、図１２に示すように、一対の取付部材１２の各ディスク取付部１２ａ上にハードディスクユニット６を上方から配置する。すると、ハードディスクユニット６は、図１４に示すように、その両側部における各下面が一対の取付部材１２の各ディスク取付部１２ａにおける水平部分上に配置されると共に、ハードディスクユニット６の両側部における各側面が一対の取付部材１２の各ディスク取付部１２ａにおける各垂直部分の各内面に対応する。
【００３５】
この状態で、図１１および図１４に示すように、一対の取付部材１２における各ディスク取付部１２ａの各前後部に、その外側から締結ビス２３を挿入してハードディスクユニット６の両側面に螺着する。これにより、ハードディスクユニット６は、図９および図１０に示すように、一対の取付部材１２に取り付けられると共に、この一対の取付部材１２および各低反発弾性部材１３を介して、図１４および図１５に示すように、載置台１１上に浮いた状態で弾力的に保持される。
【００３６】
この後、図５および図６に示すように、ハードディスクユニット６を搭載した載置台１１を、機器本体１の背面の開口部８から機器本体１内に挿入し、図７および図８に示すように、機器本体１内のシャーシ１４に設けられた固定台１０上に載置する。このときには、ハードディスクユニット６を搭載した載置台１１が、機器本体１の開口部８に対応するシャーシ１４の枠部１４ｂの開口部１４ｃを通り抜け、この通り抜けた載置台１１の両側の側面部１１ａが、固定台１０上の両側に設けられた一対のガイド部１５にガイドされながらスライドして固定台１０上に配置される。
【００３７】
そして、図７および図８に示すように、載置台１１の前面に設けられた取手部１７の位置規制部１８が、機器本体１の開口部８の切欠凹部８ａおよびシャーシ１４の開口部１４ｃの切欠凹部１４ｄを通して、固定台１０の前側に位置する脚部１０ａの上部に当接すると、載置台１１が固定台１０上の所定位置に位置規制される。このときには、載置台１１の位置規制部１８に設けられたビス挿入孔１８ａが、固定台１０の脚部１０ａの上部に設けられたねじ孔２０に対応する。
【００３８】
この状態で、図７および図８に示すように、機器本体１の開口部８およびシャーシ１４の開口部１４ｃを通して、１本の固定ビス１９を機器本体１内に挿入し、この挿入した１本の固定ビス１９を載置台１１の位置規制部１８のビス挿入孔１８ａを通して、固定台１０の脚部１０ａのねじ孔２０に螺着すると、載置台１１が固定台１０に固定される。これにより、ハードディスクユニット６が載置台１１と共に機器本体１内に固定される。なお、この後は、図２に示すように、充電ボックス４を機器本体１の背面に取り付けることにより、機器本体１の開口部８を塞ぐ。
【００３９】
一方、ハードディスクユニット６を機器本体１内から取り出して交換する場合には、まず、機器本体１の背面から充電ボックス４を取り外して、機器本体１の開口部８を開放する。この状態で、機器本体１の開口部８を通して１本の固定ビス１９を載置台１１の位置規制部１８から取り外し、固定台１０に対する載置台１１の固定を解除する。この後、載置台１１の取手部１７に手を掛けて手前側に引出すと、図５および図６に示すように、載置台１１の左右両側の各側面１１ａが固定台１０のガイド部１５でガイドされながら、載置台１１が固定台１０上をスライドする。これにより、載置台１１を機器本体１の開口部８から外部に取り出すことができる。
【００４０】
そして、機器本体１内から載置台１１を取り出した後は、図１１および図１２に示すように、一対の取付部材１２の各ディスク取付部１２ａを通してハードディスクユニット６の両側面に螺着された４本の締結ねじ２３を全て取り外すと、ハードディスクユニット６を一対の取付部材１２から取り外すことができる。これにより、載置台１１を機器本体１の外部に取り出した状態で、ハードディスクユニット６を修理したり、新たなハードディスクユニット６と交換したりすることができる。
【００４１】
このように、この防振装置７によれば、ハードディスクユニット６が取り付けられる一対の取付部材１２にそれぞれ設けられた取付突起２１を、４つの低反発弾性部材１３の各側面に設けられた刺込み穴２２にそれぞれ刺し込むことにより、４つの低反発弾性部材１３を一対の取付部材１２にそれぞれ簡単に取り付けることができ、この状態で各低反発弾性部材１３を載置台１１に設けられた各挟持部１６で載置台１１に挟み付けることにより、各低反発弾性部材１３を載置台１１に簡単に固定することができる。
【００４２】
すなわち、載置台１１に設けられた挟持部１６は、４つの低反発弾性部材１３を上下に挟み付けて固定する構成であるから、一対の取付部材１２の各取付突起２１にそれぞれ取り付けられた各低反発弾性部材１３を載置台１１の各挟持部１６の下に差し込むだけで、ビスなどの固定部材を用いずに、簡単に且つ容易に各低反発弾性部材１３を載置台１１の各挟持部１６によって載置台１１に挟み付けて固定することができる。これにより、低反発弾性部材１３によって一対の取付部材１２を載置台１１に対して非接触状態で保持することができると共に、ハードディスクユニット６を載置台１１に対して浮かした状態で弾力的に保持することができる。
【００４３】
このため、ハードディスクユニット６を搭載した載置台１１を機器本体１内に配置した状態で、機器本体１に上下左右前後の３次元方向の振動が生じても、その振動を４つの低反発弾性部材１３によって確実に且つ良好に吸収することができると共に、一対の取付部材１２が載置台１１に対して非接触状態であることにより、機器本体１の振動がハードディスクユニット６に伝わることがないので、ハードディスクユニット６が３次元方向の振動による影響を受けないようにすることができ、これによりハードディスクユニット６を振動から確実に且つ良好に保護することができる。
【００４４】
また、この防振装置７によれば、機器本体１内からハードディスクユニット６を取り出す際に、ハードディスクユニット６が搭載された載置台１１を、機器本体１内に固定された固定台１０に対してスライドさせることにより、機器本体１内から載置台１１を円滑に且つ容易に取り出すことができる。このため、ハードディスクユニット６を搭載した載置台１１を機器本体１の外部に取り出した状態で、ハードディスクユニット６を一対の取付部材１２から容易に取り外すことができるので、ハードディスクユニット６の着脱作業性が良く、ハードディスクユニット６の交換および修理が容易にでき、これにより使い勝手の良いものを提供することができる。
【００４５】
この場合、ハードディスクユニット６は、図１１および図１２に示すように、その左右方向に位置する両側面が一対の取付部材１２の各前後部に、４本の締結ねじ２３によって着脱可能に取り付けられていることにより、低反発弾性部材１３によって載置台１１上に弾力的に保持された一対の取付部材１２に、ハードディスクユニット６を確実に且つ強固に取り付けることができると共に、ハードディスクユニット６を搭載した載置台１１を機器本体１の外部に取り出した状態で、４本の締結ねじ２３を全て取り外すことができるので、簡単に且つ容易にハードディスクユニット６を一対の取付部材１２から取り外すことができる。
【００４６】
また、固定台１０には、図６および図７に示すように、載置台１１を前後方向にスライド可能にガイドする一対のガイド部１５が設けられていることにより、ハードディスクユニット６を機器本体１内から取り出す際、またはハードディスクユニット６を機器本体１内に収容する際に、ハードディスクユニット６を搭載した載置台１１を、固定台１０の一対のガイド部１５によってガイドしながら固定台１０上でスライドさせることができるので、載置台１１を円滑に且つ良好に固定台１０上から取り出したり、固定台１０上に配置たりすることができる。
【００４７】
さらに、載置台１１の取出し側に位置する前面に設けられた取手部１７には、位置規制部１８が設けられ、この位置規制部１８が固定台１０の前側の脚部１０ａに当接して載置台１１を位置規制すると共に、固定台１０には、載置台１１の位置規制部１８に設けられたビス挿入孔１８ａに対応するねじ孔２０が設けられていることにより、１本の固定ビス１９を位置規制部１８のビス挿入孔１８ａを通して固定台１０のねじ孔２０に螺着することにより、１本の固定ビス１９で簡単に且つ確実に載置台１１を固定台１０に固定することができると共に、１本の固定ビス１９を取り外すだけで、簡単に固定台１０に対する載置台１１の固定を解除することができ、これにより載置台１１を容易に機器本体１内から取り出すことができる。
【００４８】
なお、上記実施形態では、情報処理装置として、業務用のパーソナルコンピュータに適用した場合について述べたが、必ずしも業務用のパーソナルコンピュータである必要はなく、個人用のパーソナルコンピュータにも適用することができるほか、パーソナルコンピュータなどの情報処理装置に限らず、ハードディスクユニット６を搭載する電子機器に広く適用することができる。
【図面の簡単な説明】
【００４９】
【図１】この考案を適用した情報処理装置の一実施形態を示した正面側の外観斜視図である。
【図２】図１の情報処理装置を示した裏面側の外観斜視図である。
【図３】図２の情報処理装置の背面から充電ボックスを取り外した状態を示した外観斜視図である。
【図４】図３の情報処理装置における機器本体の内部構成を示した斜視図である。
【図５】図３の情報処理装置からハードディスクユニットを搭載した載置台を取り出す途中の状態を示した外観斜視図である。
【図６】図５の状態からハードディスクユニットを搭載した載置台を機器本体の外部に取り出した状態を示した外観斜視図である。
【図７】図４の情報処理装置における機器本体内に配置された防振装置を示した拡大斜視図である。
【図８】図７の防振装置においてシャーシを取り除いた状態の拡大斜視図である。
【図９】図８の防振装置において固定台からハードディスクユニットを搭載した載置台を取り外した状態を示した拡大斜視図である。
【図１０】図９の状態において載置台を斜め下から見た拡大斜視図である。
【図１１】図９の状態で締結ねじを取り外した状態の拡大斜視図である。
【図１２】図１１の状態でハードディスクユニットを一対の取付部材から取り外した状態を示した分解斜視図である。
【図１３】図９の拡大平面図である。
【図１４】図１３のＡ−Ａ矢視における断面図である。
【図１５】図１３のＢ−Ｂ矢視における断面図である。
【図１６】図１２において載置台と一対の取付部材とを更に分解して示した拡大斜視図である。
【図１７】図１６において一対の取付部材から各低反発弾性部材の一部を取り外した状態を示した分解斜視図である。
【符号の説明】
【００５０】
１  機器本体
６  ハードディスクユニット
７  防振装置
８  機器本体の開口部
１０  固定台
１１  載置台
１２  一対の取付部材
１３  低反発弾性部材
１５  ガイド部
１６  挟持部
１７  取手部
１８  位置規制部
１９  固定ビス
２０  ねじ孔
２１  取付突起
２２  刺込み穴
２３  締結ねじ
【図１】
0003130774.tif 000003
【図２】
0003130774.tif 000004
【図３】
0003130774.tif 000005
【図４】
0003130774.tif 000006
【図５】
0003130774.tif 000007
【図６】
0003130774.tif 000008
【図７】
0003130774.tif 000009
【図８】
0003130774.tif 000010
【図９】
0003130774.tif 000011
【図１０】
0003130774.tif 000012
【図１１】
0003130774.tif 000013
【図１２】
0003130774.tif 000014
【図１３】
0003130774.tif 000015
【図１４】
0003130774.tif 000016
【図１５】
0003130774.tif 000017
【図１６】
0003130774.tif 000018
【図１７】
0003130774.tif 000019